(57)【要約】【課題】装着していることが外部からは全く分らず、また、電力消費量を極力抑えることができる骨伝導型補聴器を提供することを課題とする。【解決手段】集音用マイクロホンと音声信号送信手段とを含む送信部７と、前記送信部７から分離されていて、上顎に密着する形状に成形した保形材４内に骨伝導スピーカ２と音声信号受信手段３とを配設して成る出力部１とで構成され、前記音声信号送信手段７と前記音声信号受信手段３間で音声信号の無線送受信を可能にして成る。【選択図】        図１
2004221949.tif 000002
【特許請求の範囲】
【請求項１】
集音用マイクロホンと音声信号送信手段とを含む送信部と、前記送信部から分離されていて、上顎に密着する形状に成形した保形材内に骨伝導スピーカと音声信号受信手段とを配設して成る出力部とで構成され、前記音声信号送信手段と前記音声信号受信手段間で音声信号の無線送受信を可能にして成る骨伝導型補聴器。
【請求項２】
前記保形材の中央厚肉部に振動部設置用空間部を設け、該空間部の内壁に前記骨伝導スピーカを固定した請求項１に記載の骨伝導型補聴器。
【請求項３】
前記音声信号受信手段を前記保形材の肉中に埋設した請求項１又は２に記載の骨伝導型補聴器。
【請求項４】
前記保形材の外周部に、歯間の窪みに対応する突部を設けた請求項１乃至３のいずれかに記載の骨伝導型補聴器。
【請求項５】
前記保形材の外周部に、歯をグリップするフックを適宜数突設した請求項１乃至４のいずれかに記載の骨伝導型補聴器。
【請求項６】
前記保形材に義歯が取り付けられた請求項１乃至５のいずれかに記載の骨伝導型補聴器。
【発明の詳細な説明】
【０００１】
【発明の属する技術分野】
本発明は骨伝導型補聴器、より詳細には、スピーカとして音声信号を骨の振動によって伝達する骨伝導スピーカを用いた骨伝導型補聴器に関するものである。
【０００２】
【従来の技術】
一般の補聴器は、音声を空気の振動として伝達する音圧型のスピーカを用いているが、近時、音声信号を骨の振動として伝達するために外音の影響を受けにくい、骨伝導スピーカを用いた骨伝導タイプの補聴器が出回ってきている。
【０００３】
骨伝導タイプの補聴器の場合、そのスピーカ部を頭蓋骨の一部に圧着させて使用する必要があるため、その装着には、例えば、一端部に骨伝導スピーカ３１を取り付けたヘッドバンド３２を介し、当該骨伝導スピーカ３１を側頭部の耳周辺部に押し付ける方法（図４参照）、あるいは、端部に骨伝導スピーカ３１を設置したメガネのつる３３を介し、当該骨伝導スピーカ３１を耳の後側部分に密着させる方法（図５参照）等が採られる。そのため、補聴器を使用していることが、直ちに露見してしまう。
【０００４】
また、骨伝導タイプのスピーカを用いる場合は、音声振動を頭蓋骨に伝達する必要があるため、一般の音圧型スピーカを用いる場合に比較して、電力消費量が大となる欠点がある。
【０００５】
【発明が解決しようとする課題】
上述したように、従来の骨伝導型補聴器の場合には、一見して装着していることが分ってしまうため、装着していることを知られたくない人にとっては不都合であり、また、電力消費量が大となる欠点があったので、本発明はそのような問題のない、即ち、装着していることが外部からは全く分らず、また、電力消費量を極力抑えることができる骨伝導型補聴器を提供することを課題とする。
【０００６】
【課題を解決するための手段】
歯は、音声振動を骨伝導によって最も効率よく伝達する場所であることが知られているが、本発明者らはかかる知見から本発明をなすに至ったもので、上記課題を解決するための本発明に係る骨伝導型補聴器は、集音用マイクロホンと音声信号送信手段とを含む送信部と、前記送信部から分離されていて、上顎に密着する形状に成形した保形材内に骨伝導スピーカと音声信号受信手段とを配設して成る出力部とで構成され、前記音声信号送信手段と前記音声信号受信手段間で音声信号の無線送受信を可能にして成る。
【０００７】
好ましくは、前記保形材の中央厚肉部に振動部設置用空間部を設け、該空間部の内壁に前記骨伝導スピーカを固定することとし、また、前記音声信号受信手段を前記保形材の肉中に埋設する。
【０００８】
更に好ましくは、前記保形材の外周部に、歯間の窪みに対応する突部を設け、また、前記保形材の外周部に、歯をグリップするフックを適宜数設ける。総入れ歯等の場合には、前記保形材に義歯が取り付けられる。
【０００９】
【発明の実施の形態】
本発明の実施の形態につき添付図面に依拠して説明する。図１は、本発明に係る骨伝導型補聴器の一実施形態を示すもので、図中１は、骨伝導スピーカ２と受信回路３とから成る振動部５と、一般の上顎義歯と同様形状に形成した保形材４とから成る出力部で、振動部５は保形材４の中央厚肉部内に埋設する。
【００１０】
保形材４は、一般の上顎義歯と同様の樹脂製で、上顎に密着する形状に成形する。保形材４の中央部分は比較的厚くすることができるので、そこに振動部５を埋設することは容易である。通例、振動部５は、保形材４の中央厚肉部内に空間部８を設け、その空間部８の内壁に骨伝導スピーカ２の振動板２ａを固定する方法によって装填する。受信回路３は、保形材４中に埋入することができる。
【００１１】
保形材４の周縁には、歯間の窪みに入り込む突部４ａを設け、任意の突部４ａに、歯をグリップするための針金状のフック６を配備する。一番奥の第二大臼歯をグリップするフック６は、他のものより大きなものとなる。保形材４はこのフック６により、また、必要に応じて入れ歯安定剤を用いて上顎部に固定する。使用者が総入れ歯等の場合は、常法により、保形材４に義歯が取り付けられる。
【００１２】
受信回路３に音声信号を無線送信するための送信部７は、利用者がポケットに入れる等して所持する。送信部７は、集音用のマイクロホンと送信回路とを備える。無線となる送受信手段としては、微弱電波を使うもの、ループアンテナを使った電磁誘導タイプのもの等を利用することができる。
【００１３】
この構成の場合、送信部７から送られる音声信号は、受信回路３で受信され、骨伝導スピーカ３を介して振動として、歯から顎骨に伝達され、聴覚器官を介して音声として聴取される。
【００１４】
この骨伝導型補聴器は、使用時に、振動部５を備えた保形材４で構成される出力部１を上顎に密着状態に固定し、送信部７をポケット等に入れて所持する。会話時等における音声は、送信部７の集音用マイクロホンによってピックアップされ、送信回路から送信されて受信回路３によって受信される。受信された音声信号は、増幅されて骨伝導スピーカ２によって振動に変換され歯に伝達され、骨伝導音として聴取される。
【００１５】
【発明の効果】
本発明は上述した通りであって、骨伝導スピーカと受信回路が外部からは見えない上顎義歯の保形材内に埋設されるため、補聴器を使用していることが露見するおそれがなく、使用していることを知られたくない人が用いるのに好適なる効果がある。
【００１６】
また、骨伝導スピーカが歯を直接振動させるので、骨伝導方式としては最も効率のよい音声伝達が可能となり、以て電力消費を極力抑え得る効果がある。
【図面の簡単な説明】
【図１】本発明に係る骨伝導型補聴器を示す図である。
【図２】本発明に係る骨伝導型補聴器の縦断面図である。
【図３】本発明に係る骨伝導型補聴器の拡大断面部分図である。
【図４】従来の骨伝導型補聴器の一構成例を示す図である。
【図５】従来の骨伝導型補聴器の他の構成例を示す図である。
【符号の説明】
１    出力部
２    骨伝導スピーカ
３    受信回路
４    保形材
４ａ  突部
５    振動部
６    フック
７    送信部
８    振動部設置用空間部
【図１】
2004221949.tif 000003
【図２】
2004221949.tif 000004
【図３】
2004221949.tif 000005
【図４】
2004221949.tif 000006
【図５】
2004221949.tif 000007